(57)【要約】【課題】  １つのコネクタに２枚以上のフレキシブルフラットケーブルを接続でき、基板に実装する部品点数を削減できると共に、基板面のパターンの簡素化を図ることができる。【解決手段】  基板に固定されたコネクタ１の左右端部に連結部材２、２を固定し、連結部材の先端にガイド部材３を固定しコネクタの上面に複数の挿入溝１ａが形成され、ガイド部材に段部３ａが形成され、段部の上面に通じる開口部３ｂが前面に形成され、段部の上面に複数の挿入溝３ｃが形成され、コネクタの上面の挿入溝とガイド部材の段部の上面の挿入溝に２枚の平板状のアジャスタ４、４が挿入されてコネクタとガイド部材間に３つの区画部分５Ａ、５Ｂ、５Ｃが形成され、ガイド部材の開口部から３枚のフレキシブルフラットケーブル６Ａ、６Ｂ、６Ｃが挿入されて３つの区画部分に３枚のフレキシブルフラットケーブルが挿入され、コネクタに３枚のフレキシブルフラットケーブルが接続される。【選択図】  図２
2007179799.tif 000002
【特許請求の範囲】
【請求項１】
基板に固定されたコネクタにフレキシブルフラットケーブルを接続するようにしたフレキシブルフラットケーブルの接続構造において、前記コネクタの左右端部に連結部材をそれぞれ固定し、これらの連結部材の先端にガイド部材を固定しており、前記コネクタの上面に長手方向に向けて複数の挿入溝が形成され、前記ガイド部材にはコネクタ側の上面に段部が形成されると共にこの段部の上面に通じる開口部が前面に形成され、前記段部の上面に前記コネクタの上面の複数の挿入溝に対応する複数の挿入溝が形成され、前記コネクタの上面の挿入溝と前記ガイド部材の段部の上面の挿入溝に２枚の平板状のアジャスタが挿入されて前記コネクタと前記ガイド部材間に左右方向に３つの区画部分が形成され、前記ガイド部材の開口部から左右３枚のフレキシブルフラットケーブルが挿入されて前記３つの区画部分に前記左右３枚のフレキシブルフラットケーブルが挿入され、前記コネクタに左右３枚のフレキシブルフラットケーブルがそれぞれ接続されるように構成したことを特徴とするフレキシブルフラットケーブルの接続構造。
【請求項２】
基板に固定されたコネクタにフレキシブルフラットケーブルを接続するようにしたフレキシブルフラットケーブルの接続構造において、前記コネクタの左右端部に連結部材をそれぞれ固定し、これらの連結部材の先端にガイド部材を固定しており、前記コネクタと前記ガイド部材とにそれぞれ対応する複数の挿入溝が形成され、前記ガイド部材にはフレキシブルフラットケーブルが挿入される開口部が形成され、前記コネクタと前記ガイド部材の挿入溝に一枚以上のアジャスタが挿入されて前記コネクタと前記ガイド部材間に左右方向に複数の区画部分が形成され、前記ガイド部材の開口部から区画数に応じた２枚以上のフレキシブルフラットケーブルが挿入されて前記区画部分に２枚以上のフレキシブルフラットケーブルが挿入され、前記コネクタに２枚以上のフレキシブルフラットケーブルがそれぞれ接続されるようにしたことを特徴とするフレキシブルフラットケーブルの接続構造。
【請求項３】
前記１枚以上のアジャスタが前記コネクタと前記ガイド部材の端部側の挿入溝に挿入され、前記ガイド部材の開口部から１枚のフレキシブルフラットケーブルを挿入し、この１枚のフレキシブルフラットケーブルが前記コネクタに接続されるようにした請求項２に記載のフレキシブルフラットケーブルの接続構造。
【発明の詳細な説明】
【技術分野】
【０００１】
本発明は、基板に固定されたコネクタにフレキシブルフラットケーブルを接続するようにしたフレキシブルフラットケーブルの接続構造に関するものである。
【背景技術】
【０００２】
従来、基板に固定されたコネクタにフレキシブルフラットケーブルを接続するには、１つのコネクタに１枚のフレキシブルフラットケーブルを接続するようにしていた。このために、別のフレキシブルフラットケーブルをコネクタに接続するには、別のコネクタを必要としていたから、部品点数が多く、基板面におけるコネクタまわりのパターンが複雑になるという問題があった。
【０００３】
第１の従来技術を図４（ａ）（ｂ）に示す。この従来のコネクタ構造は、図４（ａ）（ｂ）に示すように、コネクタハウジング１２０内に収容される弾性接続端子１１０間が、ハウジングの上下壁１２３、１２４を連設する隔壁１２５によって仕切られているとともに、隔壁１２５がこの隔壁１２５と上壁１２３との間に切込部１２８を有しており、電線１４０を保持しているハウジング内に挿入されるホルダ１３０が隔壁１２５と係合しかつ切込部１２８と係合する凹部１３３を設けている。（例えば、特許文献１参照）。
【０００４】
ところが、これにおいては１つの電線１４０を挿入して接続しており、複数の電線を接続できるものではなかった。
【特許文献１】特開平６−２８３２３７号公報
【発明の開示】
【発明が解決しようとする課題】
【０００５】
本発明は、上記従来の問題に鑑みてなされたものであって、１つのコネクタに２枚以上のフレキシブルフラットケーブルを接続することができ、基板に実装する部品点数を削減することができると共に、基板面におけるコネクタまわりのパターンの簡素化を図ることができるフレキシブルフラットケーブルの接続構造を提供することを目的としている。
【課題を解決するための手段】
【０００６】
本発明は、上記課題を解決するために提案されたものであって、請求項１に記載の発明は、基板に固定されたコネクタにフレキシブルフラットケーブルを接続するようにしたフレキシブルフラットケーブルの接続構造において、前記コネクタの左右端部に連結部材をそれぞれ固定し、これらの連結部材の先端にガイド部材を固定しており、前記コネクタの上面に長手方向に向けて複数の挿入溝が形成され、前記ガイド部材にはコネクタ側の上面に段部が形成されると共にこの段部の上面に通じる開口部が前面に形成され、前記段部の上面に前記コネクタの上面の複数の挿入溝に対応する複数の挿入溝が形成され、前記コネクタの上面の挿入溝と前記ガイド部材の段部の上面の挿入溝に２枚の平板状のアジャスタが挿入されて前記コネクタと前記ガイド部材間に左右方向に３つの区画部分が形成され、前記ガイド部材の開口部から左右３枚のフレキシブルフラットケーブルが挿入されて前記３つの区画部分に前記左右３枚のフレキシブルフラットケーブルが挿入され、前記コネクタに左右３枚のフレキシブルフラットケーブルがそれぞれ接続されるように構成したことを特徴としている。
【０００７】
請求項２に記載の発明は、基板に固定されたコネクタにフレキシブルフラットケーブルを接続するようにしたフレキシブルフラットケーブルの接続構造において、前記コネクタの左右端部に連結部材をそれぞれ固定し、これらの連結部材の先端にガイド部材を固定しており、前記コネクタと前記ガイド部材とにそれぞれ対応する複数の挿入溝が形成され、前記ガイド部材にはフレキシブルフラットケーブルが挿入される開口部が形成され、前記コネクタと前記ガイド部材の挿入溝に一枚以上のアジャスタが挿入されて前記コネクタと前記ガイド部材間に左右方向に複数の区画部分が形成され、前記ガイド部材の開口部から区画数に応じた２枚以上のフレキシブルフラットケーブルが挿入されて前記区画部分に２枚以上のフレキシブルフラットケーブルが挿入され、前記コネクタに２枚以上のフレキシブルフラットケーブルがそれぞれ接続されるようにしたことを特徴としている。
【０００８】
請求項３に記載の発明は、請求項２に記載の発明において、前記１枚以上のアジャスタが前記コネクタと前記ガイド部材の端部側の挿入溝に挿入され、前記ガイド部材の開口部から１枚のフレキシブルフラットケーブルを挿入し、この１枚のフレキシブルフラットケーブルが前記コネクタに接続されるようにした。
【発明の効果】
【０００９】
請求項１に記載の発明によれば、アジャスタで区画された３つの区画部分に３枚のフレキシブルフラットケーブルを挿入してコネクタに接続できるから、１つのコネクタに３枚のフレキシブルフラットケーブルを接続でき、基板に実装する部品は１つのコネクタだけでよくて実装する部品点数を削減することができ、しかも、基板のパターンの簡素化を図ることができる。また、３つの区画部分に分けるには、２枚の平板状のアジャスタをコネクタとガイド部材の挿入溝に挿入するだけでよいから、構造を簡単化できると共に作業を簡単に行うことができる。
【００１０】
請求項２に記載の発明によれば、１枚以上のアジャスタで区画された２つ以上の区画部分に２枚以上のフレキシブルフラットケーブルをそれぞれ挿入してコネクタに接続できるから、１つのコネクタに２枚以上のフレキシブルフラットケーブルを接続でき、基板に実装する部品は１つのコネクタだけでよくて実装する部品点数を削減することができ、しかも、基板のパターンの簡素化を図ることができる。
【００１１】
請求項３に記載の発明によれば、１枚以上のアジャスタをコネクタとガイド部材の端部側の挿入溝に挿入することによって、１枚のフレキシブルフラットケーブルだけでもコネクタに接続することができる。
【発明を実施するための最良の形態】
【００１２】
以下、本発明に係るフレキシブルフラットケーブルの接続構造の実施の形態を図を参照しつつ説明する。
【００１３】
図１は本発明の実施形態のフレキシブルフラットケーブルの接続構造におけるコネクタとガイド部材の挿入溝にアジャスタを挿入する前の状態を示す分解斜視図である。
【００１４】
本実施形態のフレキシブルフラットケーブルの接続構造は、図１に示すように、基板（図示略）に半田付けで固定したコネクタ１の左右端部にブロック状の連結部材２、２がそれぞれ固定され、これら連結部材２、２の先端にガイド部材３が固定されている。コネクタ１の上面の前部側には長手方向に向けて複数の挿入溝１ａが前端から奥側に向けて形成されている。また、ガイド部材３にはコネクタ側の上面に段部３ａが形成されていると共にこの段部３ａに通じる開口部３ｂが前面に形成され、段部３ａの上面に奥側から手前側に向けてコネクタ１の複数の挿入溝１ａに対応する位置に複数の挿入溝３ｃが形成されている。更に、コネクタ１の上面の挿入溝１ａとガイド部材３の段部３ａの挿入溝３ｃに等間隔に２枚のアジャスタ４、４が挿入されるようになっている。
【００１５】
図２は同構造におけるガイド部材の開口部から３枚のフレキシブルフラットケーブルを挿入する状態を示す斜視図である。
【００１６】
図２に示すように、コネクタ１の上面の挿入溝１ａとガイド部材３の段部３ａの挿入溝３ｃに２枚のアジャスタ４、４が挿入されると、コネクタ１とガイド部材３との間に左右方向に３つの区画部分５Ａ、５Ｂ、５Ｃが形成される。この状態で手前側から３枚のフレキシブルフラットケーブル６Ａ、６Ｂ、６Ｃがガイド部材３の開口部３ｂから挿入されるようになっている。
【００１７】
図３は同構造におけるガイド部材の開口部から３枚のフレキシブルフラットケーブルを挿入し、コネクタに接続した状態を示す斜視図である。
【００１８】
図３に示すように、３枚のフレキシブルフラットケーブル６Ａ、６Ｂ、６Ｃが挿入されて更に３つの区画部分５Ａ、５Ｂ、５Ｃに挿入され、３枚のフレキシブルフラットケーブル６Ａ、６Ｂ、６Ｃの先端がコネクタ１にそれぞれ接続される。
【００１９】
従って、本実施形態によれば、アジャスタ４、４で区画された３つの区画部分５Ａ、５Ｂ、５Ｃに３枚のフレキシブルフラットケーブル６Ａ、６Ｂ、６Ｃを挿入してコネクタ１に接続できるから、１つのコネクタ１に３枚のフレキシブルフラットケーブル６Ａ、６Ｂ、６Ｃを接続でき、基板に実装する部品は１つのコネクタ１だけでよくて実装する部品点数を削減することができ、しかも、基板のパターンの簡素化を図ることができる。また、３つの区画部分５Ａ、５Ｂ、５Ｃに分けるには、２枚の平板状のアジャスタ４、４をコネクタ１とガイド部材３の挿入溝３ｃに挿入するだけでよいから、構造を簡単化できると共に作業を簡単に行うことができる。
【００２０】
また、２枚のフレキシブルフラットケーブルだけをコネクタ１に接続するには、１枚のアジャスタ４を各端部の挿入溝１ａ、３ｃに挿入し、他の１枚のアジャスタ４を適宜な場所の各挿入溝１ａ、３ｃに挿入することによって、コネクタ１とガイド部材３との間が２つの区画部分となり、この２つの区画部分に２枚のフレキシブルフラットケーブルを挿入し、コネクタ１に２枚のフレキシブルフラットケーブルを接続するとよい。更に、１枚のフレキシブルフラットケーブルをコネクタ１に接続するには、２枚のアジャスタ４、４を各両端の挿入溝１ａ、３ｃに挿入することによって、コネクタ１とガイド部材３との間が１つの区画部分となり、この１つの区画部分に１枚のフレキシブルフラットケーブルを挿入してコネクタ１に接続するとよい。
【００２１】
尚、上記実施形態ではアジャスタ４を２枚使用した場合について説明したが、これに限らず、１枚以上のアジャスタ４を使用して２つ以上の区画部分を形成し、２枚以上のフレキシブルフラットケーブルを２つ以上の区画部分に挿入してコネクタに接続するようにすてもよいことは勿論である。
【図面の簡単な説明】
【００２２】
【図１】本発明の実施形態のフレキシブルフラットケーブルの接続構造におけるコネクタとガイド部材の挿入溝にアジャスタを挿入する前の状態を示す分解斜視図である。
【図２】同構造におけるガイド部材の開口部から３枚のフレキシブルフラットケーブルを挿入する状態を示す斜視図である。
【図３】同構造におけるガイド部材の開口部から３枚のフレキシブルフラットケーブルを挿入し、コネクタに接続した状態を示す斜視図である。
【図４】従来のコネクタ構造を示し、（ａ）はその分解斜視図、（ｂ）はそのホルダの背面側より見た斜視図である。
【符号の説明】
【００２３】
１      コネクタ
１ａ    挿入溝
２      連結部材
３      ガイド部材
３ａ    段部
３ｂ    開口部
３ｃ    挿入溝
４      アジャスタ
５Ａ    区画部分
５Ｂ    区画部分
５Ｃ    区画部分
６Ａ    フレキシブルフラットケーブル
６Ｂ    フレキシブルフラットケーブル
６Ｃ    フレキシブルフラットケーブル
【図１】
2007179799.tif 000003
【図２】
2007179799.tif 000004
【図３】
2007179799.tif 000005
【図４】
2007179799.tif 000006